(57)【特許請求の範囲】
【請求項１】
潜り戸を備えた扉体の構造であって、
前記潜り戸は、前記扉体に形成された避難用開口を開閉するように設けられ、
前記扉体の構造は、扉体内部に上下動可能に設けられたロック棒と、扉体の下面および／あるいは上面から突出したロック棒の先端が係止するように躯体側に設けた被係止部と、ロック棒を上下動させる操作部と、からなるロック装置を備え、
前記操作部は、避難用開口の戸先側見込面に設けてあり、潜り戸が開放姿勢にある時にのみ前記操作部の操作が可能であり、潜り戸が閉鎖姿勢にある時には、潜り戸の戸先側端面が避難用開口の戸先側見込面に近接して前記操作部を覆うことで、前記操作部によるロック棒の上下動操作が規制されている、扉体の構造。
【請求項２】
前記扉体は、収納姿勢と閉鎖姿勢との間で回動可能であり、扉体が閉鎖姿勢にある時にロック棒が被係止部に係止するように構成されている、請求項１に記載の扉体の構造。
【請求項３】
前記潜り戸は施錠装置を備えており、当該施錠装置によって閉鎖姿勢にある潜り戸の開放を規制することで、前記扉体の開放を規制するように構成されている、請求項１、２いずれかに記載の扉体の構造。
【請求項４】
前記扉体は、袖扉連動防火防煙シャッターの袖扉であり、当該袖扉の戸先側にはシャッターカーテンの幅方向の一端を案内するガイド溝が形成されている、請求項１〜３いずれかに記載の扉体の構造。
【発明の詳細な説明】
【技術分野】
【０００１】
本発明は、潜り戸を備えた扉体の構造に関するものである。
【背景技術】
【０００２】
シャッターカーテンと、戸先側端部にガイド溝を備えた袖扉とで、防火区画部位を閉鎖する袖扉連動防火防煙シャッターが知られている。袖扉は、典型的には、側壁に対して平行に延びる収納姿勢と、側壁に対して垂直に延びる姿勢、すなわち、開口部の幅方向に延びる閉鎖姿勢、との間で回動可能となっている。袖扉は通常時には収納姿勢にあって側壁に形成した収納部に収納されており、火災時に収納姿勢から回動して閉鎖姿勢となる。
【０００３】
このような袖扉連動防火防煙シャッターを管理用として使用する場合には、袖扉部の防盗性を担保するために袖扉にロック装置９´が設置されている（図１０参照）。ロック装置９´の落とし棒９０´を床面に形成した被係止部に係止させることで、袖扉２と床面を固定して袖扉２の開放を規制する。袖扉２には避難用の潜り戸３が設置されているが、潜り戸３はシリンダー錠等の施錠装置によって施錠することで防盗性を担保している。
【０００４】
図１０に示すように、従来のロック装置９´は、袖扉２の戸先側に位置して袖扉２の見付面に面付けされており、防盗性のためには取付面が内部側に限定されてしまうことから、施錠側と袖扉の開き方向との関係によっては袖扉が収納姿勢にある時に落とし棒９０´が常時見えてしまい意匠性が悪いという課題があった。
【０００５】
特許文献１には、袖扉の上部・下部をそれぞれ固定する上部ロック・下部ロックを備えた袖扉連動防火防煙シャッターが開示されている。上部ロックは図１０の態様と同じように袖扉に面付けされている。下部ロックは、シャッターカーテンの重量を利用してロッドが下降するものであり、閉鎖姿勢にあるシャッターカーテンを持ち上げることで固定が解除されてしまうおそれがある。
【特許文献１】特開２００６−２００３４３号
【発明の開示】
【発明が解決しようとする課題】
【０００６】
本発明は、潜り戸を備えた扉体において、防盗性及び意匠性に優れた扉体の構造を提供することを目的とする。
【課題を解決するための手段】
【０００７】
本発明が採用した技術手段は、
潜り戸を備えた扉体の構造であって、
前記潜り戸は、前記扉体に形成された避難用開口を開閉するように設けられ、
前記潜り戸は、前記扉体に形成された避難用開口を開閉するように設けられ、
前記扉体の構造は、扉体内部に上下動可能に設けられたロック棒と、扉体の下面および／あるいは上面から突出したロック棒の先端が係止するように躯体側（床面や上枠等）に設けた被係止部と、ロック棒を上下動させる操作部と、からなるロック装置を備え、
前記操作部は、避難用開口の戸先側見込面に設けてあり、潜り戸が開放姿勢にある時にのみ前記操作部の操作が可能であり、潜り戸が閉鎖姿勢にある時には、潜り戸の戸先側端面が避難用開口の戸先側見込面に近接して前記操作部を覆うことで、前記操作部によるロック棒の上下動操作が規制されている、扉体の構造、である。
【０００８】
一つの態様では、前記扉体は、収納姿勢と閉鎖姿勢との間で回動可能であり、扉体が閉鎖姿勢にある時にロック棒が被係止部に係止するように構成されている。
一つの態様では、前記扉体は、袖扉連動防火防煙シャッター装置の袖扉であり、当該袖扉の戸先側にはシャッターカーテンの幅方向の一端を案内するガイド溝が形成されている。このものでは、シャッターカーテンの幅方向の一端とガイド溝との嵌合状態がロック装置により保持されるので、防盗性が良好である。
一つの態様では、前記扉体は、潜り戸付き防火ドア装置の主扉である。
【０００９】
一つの態様では、前記潜り戸は施錠装置を備えており、当該施錠装置によって閉鎖姿勢にある潜り戸の開放を規制することで、前記扉体の開放を規制するように構成されている。
【発明の効果】
【００１０】
本発明では、ロック棒の操作部が、避難用開口の戸先側見込面に設けてあるため、潜り戸が開放姿勢にある時にのみ前記操作部の操作が可能であり、潜り戸が閉鎖姿勢にある時には、潜り戸の戸先側端面が避難用開口の戸先側見込面に近接して前記操作部を覆うことで、前記操作部によるロック棒の上下動操作が規制されている。
したがって、潜り戸が施錠装置を備えている場合に、当該施錠装置によって閉鎖姿勢にある潜り戸の開放を規制することで、前記扉体の開放を規制することができ、防盗性を担保することができる。
潜り戸にのみ施錠装置を設けておくことで、扉体に必ずしも施錠装置を設ける必要がなく、部品点数、コストの削減を図ることができる。
【００１１】
本発明において、ロック棒は、常に扉体内部で上下動しており、ロック状態においてのみ扉体の下面および／あるいは上面から突出するだけなので、ロック棒及び操作部が扉体の面部に露出することがなく意匠性に優れる。
特に、前記扉体が、収納姿勢と閉鎖姿勢の間で回動可能であり、扉体が閉鎖姿勢にある時にロック棒が被係止部に係止するように構成されているものにおいては、収納姿勢及び閉鎖姿勢にある扉体においてロック棒及び操作部が外部に露出することがなく、意匠性に優れる。
【図面の簡単な説明】
【００１２】
【図１】袖扉を備えたシャッターの全閉状態の概略正面図である。
【図２】図１の袖扉部の部分拡大図である。
【図２Ａ】他の実施形態に係る潜り戸を備えた袖扉部の部分拡大図である。
【図３】袖扉及び潜り戸の収納姿勢と閉鎖姿勢を示す平面図である。
【図４】閉鎖姿勢にある袖扉の側面図である。
【図５】袖扉の下方部位の一部切り欠き拡大正面図であり、ロック装置を示している。
【図６】図５を側方から見た図であり、袖扉の避難用開口の戸先側見込面を示している。
【図７】（Ａ）は図５の平面図、（Ｂ）は図５の底面図である。
【図８】潜り戸付きの防火ドア装置の正面図である。
【図９】主扉及び潜り戸の収納姿勢と閉鎖姿勢を示す平面図である。
【図１０】従来の袖扉のロック装置を示す図である。
【発明を実施するための形態】
【００１３】
本発明の実施形態を、袖扉連動防火防煙シャッター装置に基づいて詳細に説明する。袖扉連動防火防煙シャッター装置は、建物内の空間の所定の防火区画部位に設置されており、火災時に、シャッターカーテン１と袖扉２とで建物内空間を閉鎖して建物内を区画するように構成されている。袖扉２には避難用の潜り戸３が設けてある。
【００１４】
図１は、全閉状態にある袖扉連動防火防煙シャッター装置を示す概略正面図であって、左右の側壁４、５と天井面ＣＬと床面ＦＬとで形成される開口部の幅方向の部分がシャッターカーテン１によって、残りの部分が袖扉２によって、それぞれ閉鎖される。
【００１５】
開口部全閉状態において、シャッターカーテン１の幅方向の一側の端部は、側壁４に形成されたガイド溝６内に受け入れられ、シャッターカーテン１の幅方向の他側の端部は、袖扉２の戸先側に形成されたガイド溝７内に受け入れられる。
【００１６】
袖扉２は、戸先側端面２０、戸尻側端面２１、上端面２２、下端面２３、対向する面部２４、２５を備えており、戸先側端面２０には袖扉２の高さ方向に延びるガイド溝７が形成されている。袖扉２の戸尻側（基端側）は、回動支軸（例えば、オートヒンジ２６の軸部）を介して躯体に対して回動可能に支持されており、袖扉２は、側壁５に対して平行に延びる収納姿勢と、側壁５に対して垂直に延びる姿勢、すなわち、開口部の幅方向に延びる閉鎖姿勢、との間で回動可能となっている（図３参照）。
【００１７】
袖扉２には、面部２４、２５を貫設して避難用開口が形成されており、避難用開口は潜り戸３によって開閉可能となっている。避難用開口は、戸先側縦框８０、戸尻側縦框８１、上框８２、下框８３から四周状に形成された框から構成されている。框の戸先側縦框８０、戸尻側縦框８１、上框８２、下框８３は、それぞれ、避難用開口の戸先側見込面８００、戸尻側見込面、上面、下面を形成している。図２Ａは、他の実施形態に係る潜り戸を備えた袖扉部の部分拡大図を示し、避難用開口は、戸先側縦框、戸尻側縦框、上框のみから形成されており、下框を備えていない。
【００１８】
潜り戸３は、戸先側端面３０、戸尻側端面３１、上端面３２、下端面３３、対向する面部３４、３５を備えている。潜り戸３の戸先側・戸尻側は、袖扉２の戸先側・戸尻側と一致している。潜り戸３の戸尻側（基端側）は、回動支軸（例えば、オートヒンジ３６の軸部）を介して避難用開口の框に対して回動可能に支持されており、潜り戸３は、袖扉２の避難用開口を閉鎖する閉鎖姿勢と、袖扉２の避難用開口を開放する開放姿勢、との間で回動可能となっている（図３参照）。潜り戸３の閉鎖姿勢時には、潜り戸３の戸先側端面３０、戸尻側端面３１、上端面３２、下端面３３は、それぞれ、避難用開口の戸先側見込面８００、戸尻側見込面、上面、下面に近接している。図示の態様では、潜り戸３の戸先側・戸尻側は、袖扉２の戸先側・戸尻側と一致しているが、潜り戸３の戸先側が袖扉２の戸尻側に、潜り戸３の戸尻側が袖扉２の戸先側にくるようにしてもよい。この場合、避難用開口の戸先側見込面の位置は、図２に示す潜り戸の右側に位置することになる。
【００１９】
潜り戸３は、オートヒンジ３６の付勢力により閉鎖姿勢が維持されている。また、防煙性能を向上させるために、潜り戸３に、潜り戸３の内部に退避した姿勢と戸先側端面３０から突出した係止姿勢との間で移動可能なラッチ３７が設けてもよく、潜り戸３の戸先側端面３０から突出したラッチ３７が避難用開口の戸先側見込面８００の所定部位に形成したラッチ受けに係止することで、潜り戸３の閉鎖状態が維持されるようにしてもよい。潜り戸３には、さらに、施錠装置３８が設けてあり、潜り戸３の内部に退避した姿勢と戸先側端面３０から突出した係止姿勢との間で移動可能なデッドボルト３９が避難用開口の戸先側見込面８００の所定部位に形成したデッドボルト受けに係止することで、潜り戸３の開放が規制される。施錠装置は典型的にはシリンダー錠であり、デッドボルト３９は、潜り戸３の面部３４、３５に設けた施錠装置３８（つまみの回動操作あるいは鍵孔に差し込んだ鍵の回動操作）によってデッドボルト受けに係脱する。潜り戸３、袖扉２には、それぞれ扉体を手動で開放するためのハンドルＨ１、Ｈ２が設けてある。
【００２０】
袖扉連動防火防煙シャッター装置において、開口部が開放された状態では、シャッターカーテン１は天井内に収納されており、袖扉２は、壁５に沿うように、壁５に形成された収納部５０に収納されている。袖扉２は、オートヒンジ２６等の自動閉鎖装置によって収納姿勢から閉鎖姿勢へ回動する方向に付勢されていると共に、電磁レリーズ５１等の保持手段によって収納姿勢に保持されている。
【００２１】
火災時に火災検知信号を受信すると、袖扉２を収納姿勢に保持している電磁レリーズ５１が解除され、オートヒンジ２６のばね力により袖扉２（潜り戸３も一緒に）が閉鎖方向へ回動して閉鎖姿勢となると、袖扉２が戸当り部に当接した時に、袖扉２が閉鎖姿勢まで回動したことを検知して検知信号を出力し、検知信号に従って自動閉鎖装置を介してシャッターカーテン１が幅方向の両端が壁に形成したガイド溝６、袖扉２の戸先側端面に形成したガイド溝７に案内されながら全閉状態まで降下して開口部を閉鎖する。
【００２２】
袖扉連動防火防煙シャッター装置を管理用として用いたい場合があり、袖扉部の防盗性を確保するために、閉鎖姿勢にある袖扉２の開放を規制するロック装置９が設けられる。ロック装置９のロック手段は、袖扉２内部に上下動可能に設けられた落とし棒９０と、袖扉２の下面２３から下方に突出した落とし棒９０の先端が係止するように床面に凹設された被係止部９１と、落とし棒９０を上下動させる操作レバー９２と、を備えている。
【００２３】
袖扉２の避難用開口の戸先側見込面８００と袖扉２の戸先側端面２０との間の内部空間の下方部位には、戸先側見込面８００に近接して、落とし棒９０が上下動可能に設けてあり、避難用開口の戸先側見込面８００に設けた操作レバー９２の回動操作によって、落とし棒９０の上下動操作が可能となっている。落とし棒９０が下動した位置では、落とし棒９０の下端側は袖扉２の下面２３から下方に突出しており、床面に形成した被係止部９１に係止するロック状態となる。落とし棒９０が上動した位置では、落とし棒９０の下端は袖扉２の内部に退避しており、落とし棒９０の下端は被係止部９１から脱した非ロック状態にある。
【００２４】
操作レバー９２は、落とし棒９０を下動操作あるいは上動操作した状態において、避難用開口の戸先側見込面８００と略面一に収納可能となっており、操作レバー９２が潜り戸３の閉鎖姿勢を妨げることがない。潜り戸３が閉鎖姿勢にある時には、潜り戸３の戸先側端面３０が避難用開口の戸先側見込面８００に近接して操作レバー９２を覆うことで、操作レバー９２による落とし棒９０の上動操作が規制されている。
【００２５】
したがって、袖扉連動防火防煙シャッター装置を管理用として用いる場合には、先ず、袖扉２で開口部を閉鎖した状態において、潜り戸３を開いて開放姿勢として、操作レバー９２による操作で落とし棒９０を下動させて落とし棒９０の下端側を床面に形成された非係止部９１に係止させてロック状態とする。そして、潜り戸３を閉めて閉鎖姿勢として、潜り戸３を施錠して潜り戸３の開放を規制する。次いで、押しボタンスイッチによりシャッターカーテン１を降下させて開口部を全閉状態とする。開口部全閉状態において、操作レバー９２を外部から操作することが防止され、防盗性を担保することができる。
【００２６】
落とし棒９０は常に袖扉２内部で上下動しており、ロック状態においてのみ袖扉２の下面２３から下方に突出するだけなので、落とし棒９０及び操作レバー９２が袖扉２の面部２４、２５に露出することがなく意匠性に優れる。特に、袖扉２が収納部５０に収納された収納姿勢にある時に、落とし棒９０及び操作レバー９２が外部に露出することがない。本実施形態では、扉体の下面から突出するロック棒、すなわち落とし棒９０について説明したが、本発明に係るロック棒は扉体の上面から突出するものでもよい。
【００２７】
本発明の他の実施形態を、潜り戸付きの防火ドア装置に基づいて説明する。潜り戸付きの防火ドア装置は、主扉２´と、避難用の潜り戸３´とを備えている。
【００２８】
主扉２´は、戸先側端面２０´、戸尻側端面２１´、上端面２２´、下端面２３´、対向する面部２４´、２５´を備えている。主扉２´の戸尻側（基端側）は、回動支軸２６´を介して躯体に対して回動可能に支持されている。一つの態様では、主扉２´は、側壁（図示せず）に対して平行に延びる収納姿勢と、側壁に対して垂直に延びる姿勢、すなわち、開口部の幅方向に延びる閉鎖姿勢、との間で回動可能となっており、主扉２´は、火災時に収納姿勢から閉鎖姿勢に回動して建物内部空間の所定部位を区画する。
【００２９】
主扉２´には、面部２４´、２５´を貫設して避難用開口が形成されており、避難用開口は潜り戸３´によって開閉可能となっている。
【００３０】
潜り戸３´は、戸先側端面３０´、戸尻側端面３１´、上端面３２´、下端面３３´、対向する面部３４´、３５´を備えており、潜り戸３の戸尻側（基端側）は、回動支軸３６´を介して避難用開口の框に対して回動可能に支持されている。
【００３１】
ロック装置９のロック手段は、主扉２´内部に上下動可能に設けられた落とし棒９０と、扉体２の下面２３´から下方に突出した落とし棒９０の先端が係止するように床面に凹設された被係止部９１と、落とし棒９０を上下動させる操作レバー９２と、を備えている。操作レバー９２は、避難用開口の戸先側見込面に設けてあり、潜り戸３´が閉鎖姿勢にある時には、潜り戸３´の戸先側端面３０´が避難用開口の戸先側見込面に近接して操作レバー９２を覆うことで、操作レバー９２による落とし棒９０の上動操作が規制されている。
【００３２】
したがって、閉鎖状態にある潜り戸３´を施錠して潜り戸３´の開放を規制することで、操作レバー９２を外部から操作することができなくなって、防盗性を担保することができる。また、潜り戸３´が開放されない限り、ロック装置のロック状態を解除することができない。また、落とし棒９０及び操作レバー９２は主扉２´の面部に露出することがないので意匠性に優れる。ここで、潜り戸付きの防火ドア装置を管理用として用いることができるが、潜り戸付きの防火ドア装置を管理用として用いる場合には、従来では主扉に施錠装置を設ける必要があった。本実施形態では、潜り戸３´が開放されない限り、ロック装置のロック状態を解除することができないので、潜り戸３´にのみ施錠装置３８を設けておくことで、主扉２´に必ずしも施錠装置を設ける必要がなく、部品点数、コストの削減を図ることができる。なお、潜り戸３´、主扉２´には、それぞれ扉体を手動で開放するためのハンドルＨ１、Ｈ２が設けてある。
【産業上の利用可能性】
【００３３】
本発明は、袖扉連動防火防煙シャッターや潜り戸付きの防火ドア装置に用いることができる。
【符号の説明】
【００３４】
１  シャッターカーテン
２  袖扉
３  潜り戸
３０  潜り戸の戸先側端面
９  ロック装置
９０  落とし棒
９１  被係止部
９２  操作レバー
【図１】
0005478424.tif 000002
【図２】
0005478424.tif 000003
【図２Ａ】
0005478424.tif 000004
【図３】
0005478424.tif 000005
【図４】
0005478424.tif 000006
【図５】
0005478424.tif 000007
【図６】
0005478424.tif 000008
【図７】
0005478424.tif 000009
【図８】
0005478424.tif 000010
【図９】
0005478424.tif 000011
【図１０】
0005478424.tif 000012